(57)【要約】【課題】残紙処理が容易で、反転ユニットの装置本体からの引き出しによる用紙の泣き別れを確実に防止することができる画像形成装置を提供する。【解決手段】画像形成装置本体１に対して出し入れ可能に装着され、画像形成部２で画像が形成された用紙３０を反転する反転ユニット１００を備え、該ユニットには搬送された用紙を反転路１０２へ導く反転入口ローラ１１０と、反転路１０２で用紙を反転させる正転・逆転可能な反転ローラ１１１とを有し、反転ローラ１１１のニップを解除するニップ解除手段１３０を設け、反転ユニット１００を用いる印刷モード時に印刷動作緊急停止が発生した場合、ニップ解除手段１３０を作動して反転ローラ１１１のニップを解除するとともに、反転入口ローラ１１０を駆動する。【選択図】図２
2008107633.tif 000002
【特許請求の範囲】
【請求項１】
画像形成装置本体に対して出し入れ可能に装着され、
画像が形成された記録材を反転する反転ユニットを備え、
該反転ユニットには搬送された記録材を反転路へ導く反転入口ローラと、
該反転路で記録材を反転させる正転又は逆転可能な反転ローラとを備える画像形成装置において、
前記反転ローラのニップを解除するニップ解除手段を設け、
前記ユニットを用いる印刷時に印刷動作緊急停止が発生した場合に、
前記ニップ解除手段を作動して前記反転ローラのニップを解除するとともに、前記反転入口ローラを駆動することを特徴とする画像形成装置。
【請求項２】
請求項１に記載の画像形成装置において、前記反転入口ローラ付近に記録材有無を検知する入口検知手段を設け、前記反転入口ローラの駆動は該入口検知手段が記録材無しを検知してから所定時間経過するまで行われることを特徴とする画像形成装置。
【請求項３】
請求項１に記載の画像形成装置において、前記反転ユニットが、前記反転ローラによって反転させた後、排出させる記録材が通る反転出口路と、画像が形成されていない面に画像を形成する記録材が通る両面搬送路と、前記記録材を前記反転出口路と前記両面搬送路の何れに導くかを選択的に切り換える切り換え手段とを具備する反転ユニットであることを特徴とする画像形成装置。
【請求項４】
請求項３に記載の画像形成装置において、前記印刷動作緊急停止時は、反転ユニットにおいては反転入口ローラ以外の搬送ローラ駆動を断つことを特徴とする画像形成装置。
【請求項５】
画像形成装置本体に対して出し入れ可能に装着され、
画像が形成された記録材を反転する反転ユニットを備え、
該反転ユニットには搬送された記録材を反転路へ導く反転入口ローラと、
該反転路で記録材を反転させる正転又は逆転可能な反転ローラと、
該反転ローラによって反転された記録材が通る反転出口路とを有する画像形成装置において、
前記反転ユニットを用いる反転排紙印刷時にて印刷動作緊急停止が発生した場合に、
前記反転出口路の出口側に配した記録材有無を検知する反転出口検知手段が記録材を検知したとき、
該反転出口検知手段が無しを検知して所定時間経過するまで、画像形成装置本体の反転出口路に最も近い搬送ローラを排紙方向に駆動させることを特徴とする画像形成装置。
【請求項６】
画像形成装置本体に対して出し入れ可能に装着され、
画像が形成された記録材を反転する反転ユニットを備え、
該反転ユニットには搬送された記録材を反転路へ導く反転入口ローラと、
該反転路で記録材を反転させる正転又は逆転可能な反転ローラと、
該反転ローラによって反転された記録材が通る反転出口路と、
画像が形成されていない面に画像を形成する記録材が通る両面搬送路とを有する画像形成装置において、
前記反転ユニットを用いる両面印刷時にて印刷動作緊急停止が発生した場合に、
前記両面搬送路の出口側に配した記録材有無を検知する両面出口検知手段が記録材を検知したとき、
該両面出口検知手段が無しを検知して所定時間経過するまで、画像形成装置本体の両面搬送路に最も近い搬送ローラを再給紙方向に駆動させることを特徴とする画像形成装置。
【請求項７】
前記ユニットの反転出口路及び両面搬送路にそれぞれ設けた反転ローラ及び両面搬送ローラは、記録材を介した搬送方向の回転が空転可能に構成されていることを特徴とする請求項５または６に記載の画像形成装置。
【発明の詳細な説明】
【技術分野】
【０００１】
本発明は、複写機やプリンタあるいはファクシミリ装置などの電子写真複写プロセスを実行する画像形成装置に関するものである。
【背景技術】
【０００２】
上記画像形成装置において、両面印刷、あるいは印刷物をページ順に揃えるべく印刷面を下側に排出する機能を持った、反転ユニットを搭載している装置が知られている。この種の画像形成装置における反転ユニットには、大まかに記録材である用紙をユニット内へ搬送する反転入口路、用紙を反転するための反転路、反転後の用紙を搬送する反転部、反転後に印刷面を下側にしたまま用紙を排出するための反転出口路、反転後に用紙裏側へ画像形成するために画像形成部に用紙を再搬送するための両面搬送路を備えている。
【０００３】
一方、ジャム時等により発生する装置本体に残留する用紙（残紙）の確認手段としては、搬送経路内に配置し、用紙搬送動作に使用している電気光学的な用紙検知センサによって残紙の有無を確認し、オペレータは操作部に表示されたディスプレイの指示に従って残紙を処理するようにしているものが一般的である。
【０００４】
しかしながら、特に高速機のような大型装置において残紙処理を行う場合には、目視できない用紙は忘れがちとなり、また装置内の残紙枚数も多くなることがあるため、オペレータにとって大きな手間となり、時間も掛かってしまう。特に反転ユニットは用紙視認性に乏しいことが多く、残紙処理に手間取ることが多い。
【０００５】
【特許文献１】特開２００２−１４５５３４号公報
【０００６】
そこで、特許文献１には引き出した反転ユニット内の上側ガイド板を上方に回動して大きく開放することができ、このようにすると目視可能な状態で良好に残紙処理が可能となるものである。
【０００７】
しかしながら、ジャム時に画像形成装置本体と上記反転ユニットに跨った状態で残紙になる場合も少なく無く、このときそのまま反転ユニットのみを装置本体から引き出すと、装置内残留ユニットとの間で残紙が破損してしまう、いわゆる用紙の泣き別れが発生する。そして、泣き別れが発生しその破損片が細かいと、オペレータでは処理することが難しく残紙処理が非常に困難となることがある。さらに厚紙のような高剛性用紙の泣き別れは、ユニット自体にダメージを及ぼす恐れもあるという問題があった。
【発明の開示】
【発明が解決しようとする課題】
【０００８】
本発明は、上記した従来の事情に鑑み、残紙処理が容易で、反転ユニットの装置本体からの引き出しによる用紙の泣き別れを確実に防止することができる画像形成装置を提供することを目的としている。
【課題を解決するための手段】
【０００９】
上記課題を解決するため、本発明は、画像形成装置本体に対して出し入れ可能に装着され、画像が形成された記録材を反転する反転ユニットを備え、該反転ユニットには搬送された記録材を反転路へ導く反転入口ローラと、該反転路で記録材を反転させる正転又は逆転可能な反転ローラとを備える画像形成装置において、前記反転ローラのニップを解除するニップ解除手段を設け、前記ユニットを用いる印刷時に印刷動作緊急停止が発生した場合に、前記ニップ解除手段を作動して前記反転ローラのニップを解除するとともに、前記反転入口ローラを駆動することを特徴とする画像形成装置を提案する。
【００１０】
なお、本発明は、前記反転入口ローラ付近に記録材有無を検知する入口検知手段を設け、前記反転入口ローラの駆動は該入口検知手段が記録材無しを検知してから所定時間経過するまで行われると、効果的である。
【００１１】
さらに、本発明は、前記反転ユニットが、前記反転ローラによって反転させた後、排出させる記録材が通る反転出口路と、画像が形成されていない面に画像を形成する記録材が通る両面搬送路と、前記記録材を前記反転出口路と前記両面搬送路の何れに導くかを選択的に切り換える切り換え手段とを具備する反転ユニットであると、効果的である。
【００１２】
さらにまた、本発明は、前記印刷動作緊急停止時は、反転ユニットにおいては反転入口ローラ以外の搬送ローラ駆動を断つと、効果的である。
また、上記課題を解決するため、本発明は、画像形成装置本体に対して出し入れ可能に装着され、画像が形成された記録材を反転する反転ユニットを備え、該反転ユニットには搬送された記録材を反転路へ導く反転入口ローラと、該反転路で記録材を反転させる正転又は逆転可能な反転ローラと、該反転ローラによって反転された記録材が通る反転出口路とを有する画像形成装置において、前記反転ユニットを用いる反転排紙印刷時にて印刷動作緊急停止が発生した場合に、前記反転出口路の出口側に配した記録材有無を検知する反転出口検知手段が記録材を検知したとき、該反転出口検知手段が無しを検知して所定時間経過するまで、画像形成装置本体の反転出口路に最も近い搬送ローラを排紙方向に駆動させることを特徴とする画像形成装置を提案する。
【００１３】
さらにまた、上記課題を解決するため、本発明は、画像形成装置本体に対して出し入れ可能に装着され、画像が形成された記録材を反転する反転ユニットを備え、該反転ユニットには搬送された記録材を反転路へ導く反転入口ローラと、該反転路で記録材を反転させる正転又は逆転可能な反転ローラと、該反転ローラによって反転された記録材が通る反転出口路と、画像が形成されていない面に画像を形成する記録材が通る両面搬送路とを有する画像形成装置において、前記反転ユニットを用いる両面印刷時にて印刷動作緊急停止が発生した場合に、前記両面搬送路の出口側に配した記録材有無を検知する両面出口検知手段が記録材を検知したとき、該両面出口検知手段が無しを検知して所定時間経過するまで、画像形成装置本体の両面搬送路に最も近い搬送ローラを再給紙方向に駆動させることを特徴とする画像形成装置を提案する。
【００１４】
なお、本発明は、前記ユニットの反転出口路及び両面搬送路にそれぞれ設けた反転ローラ及び両面搬送ローラは、記録材を介した搬送方向の回転が空転可能に構成されていると、効果的である。
【発明の効果】
【００１５】
本発明によれば、ジャム等による緊急停止時に反転ユニット内のローラと装置本体側のローラとに跨った残紙が生じてもユニットの引き出しによる残紙泣き別れを防止することができる。
【発明を実施するための最良の形態】
【００１６】
以下、本発明の実施の形態を図面に従って詳細に説明する。
図１は、本発明に係る画像形成装置の一例を示す概略垂直断面図である。ここに示した画像形成装置は、画像形成装置本体１の中央に画像形成部２が配置され、この画像形成部２の下方に給紙部３が配置されている。画像形成部１の上方は、原稿を読み取る読み取り部４が配設され、そして画像形成部１の左側には排紙収納部５が設けられ、画像形成された用紙３０が排紙収納される。用紙３０は紙以外の樹脂フィルムなどから成るシート部材であってもよい。
【００１７】
画像形成部２には、像担持体としてのドラム状に形成された感光体１０を備え、該感光体１０の周囲には、表面に帯電処理を行う帯電装置１１、画像情報を表面にレーザー光で照射する露光装置１２、表面に露光されて形成された静電潜像を可視化する現像装置１３、及び感光体の残留するトナーを除去回収するクリーニング部１４が配置されている。また、感光体１０の作像したトナー像を用紙３０に転写する転写装置１５、トナー像を得た用紙上のトナーを、一対のローラ間を通過して熱と圧力を加えることによってトナー像を定着処理する定着装置１６がそれぞれ配置されている。
【００１８】
かかる画像形成装置において画像形成が開始されると、感光体１０が図における時計方向に回転駆動され、このとき帯電装置１１によって感光体１０の表面が所定の極性に帯電される。次いで、その帯電面に、露光装置１２から画像情報に基づくレーザ光が照射され、これによって感光体１０に静電潜像が形成される。そして、感光体１０の表面に形成された静電潜像は、現像装置１３によってトナー像として可視像化され、トナー像は転写装置１５によって用紙３０上に転写される。
【００１９】
一方、画像形成部２の下部に配置された給紙部３には、例えばサイズや種類の異なる用紙３０を積載する複数の給紙トレイ３１が設けられ、該給紙トレイ３１に積載された用紙３０の最上紙がピックアップコロ３２、給紙ローラ３３及びリバースローラ３４を有する給紙手段によってレジストローラ対１７に向けて送り出され、中間ローラ２３を介してその先端が停止しているレジストローラ対１７に突き当てられる。これによって用紙３０が整合された後、レジストローラ対１７は感光体１０に形成されたトナー像が転写装置１５を設けた転写部で用紙３０の先端部と合致するようなタイミングで回転を再開し、転写部に向けて用紙３０を送り出す。
【００２０】
読み取り部４では、コンタクトガラス（図示せず）上に載置される原稿の読み取り走査を行うために、ＣＣＤ等に画像信号として読み込むそれ自体公知の原稿走査装置４１が設けられ、この読み込まれた画像信号は、画像処理部（図示せず）によってデジタル化され画像処理される。画像形成部２では、画像処理部によって処理された画像信号に基づいて、露光装置１２内のレーザダイオードＬＤ（図示せず）の発光が光学系を介して感光体１０に照射され、表面に静電潜像が形成される。読み取り部４の上方には、原稿を自動的に搬送する自動原稿搬送装置５が取り付けられる。
【００２１】
本実施形態の画像形成装置は、上記したように原稿を読み取りデジタル化して用紙に複写する、いわゆるデジタルコピー機としての機能の他に、図示していない制御部により原稿の画像情報を遠隔地と授受するファクシミリの機能や、コンピュータが扱う画像情報を用紙上に印刷するいわゆるプリンタの機能を有する多機能の画像形成装置である。上記コピー機としての設定は、オペレータが任意に設定可能な操作部（図示せず）で行う。また、どの機能によって形成された画像もすべて排紙収納部５に排出される。
【００２２】
上記画像形成部２がと給紙部３の間には、反転ユニット１００が配置されている。また、定着装置１６と用紙３０を排紙収納部５に排紙する排紙ローラ１８との間には定着を終えた用紙３０の搬送先を排紙収納部５か反転ユニット１００かを選択的に切り換える分岐爪２０が設けられている。分岐爪２０が排紙収納部５への通路を閉じ、反転ユニット１００へ通路を開いたとき、用紙３０は中継ローラ２１を介して反転ユニット１００へ送り込まれる。
【００２３】
図２は本実施形態の反転ユニット１００を示す垂直断面の説明図である。
図２において、反転ユニット１００には用紙３０を反転路１０２へ導く反転入口路１０１、反転路１０２で反転された用紙３０が排出される反転出口路１０３、反転路１０２で反転された用紙３０が裏面印刷のため通る両面搬送路１０４の各用紙搬送経路が形成されている。上記反転入口路１０１には入口センサ１２０と用紙３０を反転路１０２へ搬送する単一の駆動系を持つ反転入口ローラ１１０が配置され、そして反転路１０２には用紙３０を反転する正転・逆転可能な反転ローラ１１１が設けられている。さらに、反転ローラ１１１の出口には反転部が設けられ、該反転部には反転センサ１２１と反転ローラ１１２及び用紙３０の搬送先を反転出口路１０３か両面搬送路１０４かに切り換える切り換え爪１１７が設けられている。さらにまた、反転出口路１０３には出口センサ１２２が設けられ、両面搬送路１０４には両面搬送ローラ１１３，１１４，１１５，１１６と、適宜間隔で複数個、本例では３個の用紙センサ１２３，１２４，１２５とが設けられている。
【００２４】
このように構成される反転ユニット１００は、排紙収納部５に裏面排紙するための用紙３０が分岐爪２０、中継ローラ２１を介して送り込まれると、用紙３０は反転入口ローラ１１０の回転によって反転入口路１０１から反転路１０２へ搬送される。そして、反転ローラ１１１は入口センサ１２０による信号を基に、用紙３０の後端が該反転ローラ１１１に挟持されつつも反転入口ローラ１１０を完全に抜けきったタイミングで用紙進入方向の回転が反転入口ローラ１１０と同方向の正転から逆回転に切り換えられて用紙が反転される。反転された用紙３０は、図２に示すように切り換え爪１１７が両面搬送路１０４を閉じて反転出口路１０３を開放していることで、反転ローラ１１２によって反転出口路１０３を通り、反転ユニット１００から抜け出し、反転出口ローラ２２を介して排紙収納部５に排紙する。このとき、排紙収納部５が反転して排紙されるため、ページ順に揃えられる。
【００２５】
また、両面印刷モードが選択された場合、用紙３０が分岐爪２０、中継ローラ２１を介して反転ユニット１００に送り込まれると、反転後、図３に示すように、切り換え爪１１７が反転出口路１０３を閉じて両面搬送路１０４を開放しているので、反転ローラ１１２によって両面搬送路１０４へ搬送され、両面搬送ローラ１１３，１１４，１１５，１１６を通過して反転ユニット１００から排紙され、中間ローラ２３を介してレジストローラ１７に送り込まれ裏面の印刷が行われる。
【００２６】
このように構成される画像形成装置において、生産性を上げるため、用紙３０は次の用紙との間隔が狭い状態で搬送されており、用紙搬送経路の何れかで用紙ジャムが発生すると、機械は緊急停止される。すなわち、印刷動作緊急停止が発生する。このとき、用紙３０は画像形成装置本体と反転ユニット１００とに跨った状態で緊急停止されることも多々起こり得る。また、反転ユニット１００は図１の紙面垂直な方向に引き出してジャム処理やメンテナンスを行ない得るように構成されており、上記のように画像形成装置本体と反転ユニット１００とに跨った状態の用紙３０の除去は反転ユニット１００を引き出して行なうが、このとき用紙が破損して泣き別れする問題があることは先に説明した。
【００２７】
用紙３０が画像形成装置本体と反転ユニット１００とに跨って残紙する箇所は、中継ローラ２１と反転入口ローラ１１０とに跨る第１の箇所、反転ローラ１１２と反転出口ローラ２２とに跨る、もしくは反転ローラ１１１、反転ローラ１１２と反転出口ローラ２２とに跨る第２の箇所、両面搬送ローラの中、少なくとも最下流の両面搬送ローラ１１６と中間ローラ２３とに跨る第３の箇所の３箇所ある。この場合、第１の箇所では反転排紙する反転モードと両面印刷する両面モードに発生するが、第２の箇所は反転モード時のみで、第３の箇所は両面モード時のみである。
【００２８】
本発明では、上記したそれぞれの箇所に対して泣き別れ防止の措置を講じている。
第１の箇所の残紙に対しては、用紙３０を反転路１０２に収めることで、泣き別れを生ずることなく、反転ユニット１００を引き出し残紙除去を可能としている。このため、緊急停止時に入口センサ１２０が用紙を検知しているとき、後述する反転ローラ１１１のニップを解除するニップ解除手段１３０によって反転ローラ離間させ、反転入口ローラ１１０を回転駆動する。このとき、反転入口ローラ１１０の駆動は入口センサ１２０が用紙無しを検知してから所定時間経過するまで行うことで、用紙３０の後端が反転入口ローラ１１０を抜けて完全に反転路１０２に移動する。なお、中継ローラ２１はこのときの用紙３０の移動を可能にするため、ワンウェイクラッチを介在させて連れ回り可能に構成されている。
【００２９】
このように構成すると、緊急停止時に中継ローラ２１と反転入口ローラ１１０とに跨った第１の箇所に用紙３０があってもその用紙が反転路１０２側に移動して反転ユニット１００内に収まるので、反転ユニット１００を引き出しても泣き別れが発生しない。
【００３０】
また、上記ニップ解除手段１３０はニップ圧を解除するだけでなく、ローラを完全に引き離すことが好ましい。そのニップ解除手段１３０の具体的な構成の一例としては、図４に示すように、ソレノイド１３１の励磁により回動する作動レバー１３２を介して軸支されている作動リンク１３３を上の反転ローラ１１１が上方へ持ち上げニップを解除する。このとき、上方へ移動するローラは反転ローラ１１１の従動側のローラである。
【００３１】
この第１の箇所の残紙において、入口センサ１２０が用紙無しを検知した時点で反転ユニット１００を引き出しても用紙が泣き別れすることはないが、入口センサ１２０が用紙無しを検知してから所定時間経過するまで反転入口ローラ１１０を駆動すれば、用紙３０の後端が反転入口ローラ１１０を抜けるので、残紙処理をきわめて容易に行うことができる。
【００３２】
次に、上記第２の箇所の残紙に対しては、用紙３０を反転ユニット１００の外に排出することで、泣き別れを生ずることなく、反転ユニット１００を引き出し残紙除去を可能としている。このため、緊急停止時に出口センサ１２２が用紙を検知しているとき、ニップ解除手段１３０によって反転ローラ１１１を離し、反転ユニット１００外に設けられている反転出口ローラ２２を回転駆動する。このとき、反転ローラ１１２はワンウェイクラッチを介在させて連れ回り可能としているとともに、反転出口ローラ２２の駆動を出口センサ１２２が用紙無しを検知してから所定時間経過するまで行うことで、用紙３０の後端が反転ユニット１００から本実施形態では完全に排出される。
【００３３】
このように構成すると、緊急停止時に反転ローラ１１２と反転出口ローラ２２とに跨る、もしくは反転ローラ１１１、反転ローラ１１２と反転出口ローラ２２とに跨る第２の箇所に用紙３０があってもその用紙が反転ユニット１００外に排出されるので、反転ユニット１００を引き出しても泣き別れが発生しない。
【００３４】
次に、上記第３の箇所の残紙に対しては、用紙３０を反転ユニット１００の外に排出することで、泣き別れを生ずることなく、反転ユニット１００を引き出し残紙除去を可能としている。このため、緊急停止時に用紙センサ１２５が用紙を検知しているとき、反転ユニット１００外に設けられている中間ローラ２３を回転駆動する。このとき、両面搬送ローラ１１３，１１４，１１５，１１６はすべてワンウェイクラッチを介在させて連れ回り可能としているとともに、中間ローラ２３の駆動を用紙センサ１２５が用紙無しを検知してから所定時間経過するまで行うことで、用紙３０の後端が反転ユニット１００から完全に排出される。
【００３５】
このように構成すると、緊急停止時に少なくとも両面搬送ローラ１１６と中間ローラ２３とに跨る第３の箇所に用紙３０があってもその用紙が反転ユニット１００外に排出されるので、反転ユニット１００を引き出しても泣き別れが発生しない。
【００３６】
次に、反転ユニット１００内に残った場合の用紙３０の取り出し操作手順について説明する。
反転ユニット１００には、図２及び３に示すように、反転出口路１０３、反転路１０２及び反転出口路１０３の上側で用紙３０をガイドする反転ガイド板２００と、反転路１０２の下側と両面搬送路１０４の上側をガイドする両面ガイド板２１０、２２０とが設けられている。上記反転ガイド板２００は、図５に示すように、支点２０１を支点に上方に開放可能に構成され、また、両面ガイド板２１０、２２０は反転ガイド板２００の開放した後に、支点２１１、２２１を支点に、図６に示すように、観音開きのようにそれぞれ上方に開放可能に構成されている。
【００３７】
この両面ガイド板２１０、２２０は搬送方向長さがＡ４横、ＬＴ（レター）横長さとほぼ同等であり、支点２１１、２２１を支点として図５に示すように観音開きで上方に開放できるため、Ａ５サイズや葉書サイズ等の小サイズが支点２１１、２２１付近に残紙としてある場合においても、例えば両面ガイド板２１０と２２０が一枚構成だとアクセスが困難になることが懸念されるが、二分割されているためオペレータによるアクセスは可能で、残紙処理は可能である。
【００３８】
このように構成すると、ジャム発生等で反転ユニット反転ユニット１００内に残留した用紙（残紙）がある場合に、オペレータによる残紙処理を確実にかつ処理しやすくする。反転ユニット１００において、例えば反転路１０２から反転部に跨った残紙がある場合、反転ガイド板２００を上方に開放することで、反転ローラ１１１および反転ローラ１１２のニップを離すことが可能となるため、残紙がローラによる拘束を受けることがなく処理が容易である。しかも、視認性も良好になるため、的確な処理が行い得る。さらに、両面ガイド板２１０、２２０についても同様に両面搬送ローラ１１３，１１４，１１５，１１６のニップを全て離すことが可能となるため、両面搬送路１０４の残紙も上記と同様に処理が容易で視認性も良好である。なお、図５及び図６において、ニップが開放されるローラ対１１１、１１３，１１４，１１５．１１６については図２の状態で下部に位置するローラに添え字ａを付している。
【００３９】
ところで、両面ガイド板２１０と２２０が一枚構成であると、その支点付近にＡ５サイズや葉書サイズ等の小サイズ用紙が残紙すると、視認性も悪くアクセスが困難になることが懸念されるが、本実施形態では両面ガイド板２１０、２２０が観音開きであるため、オペレータによる残紙処理が容易にできる。
【００４０】
両面ガイド板２１０、２２０は、上部の反転ガイド板２００を上方へ開放すれば、両面搬送路１０４の残紙有無や状態を上から目視して確認できるように、例えば透明な樹脂、あるいはスリットが設けることが有効で、残紙を容易に目視確認できる。
【００４１】
なお、本発明は前記各実施の形態に限定されず、本発明の技術思想の範囲内において、前記各実施の形態の中で示唆した以外にも、前記各実施の形態は適宜変更され得ることは明らかである。また、前記構成部材の数、位置、形状等は前記各実施の形態に限定されず、本発明を実施する上で好適な数、位置、形状等にすることができる。
【図面の簡単な説明】
【００４２】
【図１】本発明に係る画像形成装置の一例を示す概略垂直断面図である。
【図２】本実施形態の反転モード時の反転ユニットを示す垂直断面の説明図である。
【図３】本実施形態の両面モード時の反転ユニットを示す垂直断面の説明図である。
【図４】本発明のニップ解除手段の一例を示す斜視図である。
【図５】反転ユニットを開放する一態様を示す説明図である。
【図６】反転ユニットを開放する他の態様を示す説明図である。
【符号の説明】
【００４３】
１  装置本体
２  画像形成部
３０  用紙
１００  反転ユニット
１０１  反転入口路
１０２  反転路
１０３  反転出口路
１０４  両面搬送路
１１０  反転入口ローラ
１１１  反転ローラ
１１２  反転ローラ
１１３〜１１６  両面搬送ローラ
１１７  切り換え爪
１３０  ニップ解除手段
【図１】
2008107633.tif 000003
【図２】
2008107633.tif 000004
【図３】
2008107633.tif 000005
【図４】
2008107633.tif 000006
【図５】
2008107633.tif 000007
【図６】
2008107633.tif 000008